(57)【要約】【課題】屑受箱自体に帯電防止性能を付与して細断屑の付着や飛散を防止し、シュレッダー周辺の清潔を保つ。【解決手段】シュレッダー内に設置して細断屑を収納する屑受箱において、当該屑受箱が帯電防止性能を有するものとするという手段を採用した。具体的には、プラスチック材料に界面活性剤や親水性ポリマーなどの帯電防止剤を塗布又は練り込んで帯電防止性能を付与した資材で屑受箱を構成するという手段、または、プラスチック板の表面をπ電子共役系導電性ポリマー層で被覆することによって、帯電防止性能を付与した資材で屑受箱を構成するという手段を採用した。さらに、シュレッダーとして、上記帯電防止性能を有する屑受箱を備えたシュレッダーとするという手段を採用した。【選択図】図１
2007106584.tif 000002
【特許請求の範囲】
【請求項１】
シュレッダー内に設置して細断屑を収納する屑受箱であって、当該屑受箱が帯電防止性能を有することを特徴とするシュレッダーの屑受箱。
【請求項２】
プラスチック材料に界面活性剤や親水性ポリマーなどの帯電防止剤を塗布又は練り込んで帯電防止性能を付与した資材で構成した請求項１記載のシュレッダーの屑受箱。
【請求項３】
プラスチック板の表面をπ電子共役系導電性ポリマー層で被覆することによって、帯電防止性能を付与した資材で構成した請求項１記載のシュレッダーの屑受箱。
【請求項４】
上記請求項１から請求項３のいずれか１項に記載の屑受箱を備えたことを特徴とするシュレッダー。
【発明の詳細な説明】
【技術分野】
【０００１】
この発明は、シュレッダー内に設置する細断屑の屑受箱に関するもので、特に帯電防止処理によって細断屑が付着しないようにした屑受箱に関するものである。
【背景技術】
【０００２】
シュレッダーは不要書類等を細断処理するものであるが、シュレッダーによって細断した細断屑には、細断時に生じる摩擦等によって、静電気が生じている。このため、細断屑は、落下中に細断屑同士が互いに付着する他、シュレッダー本体の周辺や屑受箱などに付着し、細断屑を回収撤去する際に不都合を生じていた。即ち、細断屑の回収、廃棄の際にシュレッダー本体から屑受箱を取り出すと、これに付着した細断屑が周囲に飛散し、周辺を汚染していた。
【０００３】
このような問題に対応するため、例えば特許文献１に示すようなエレクトレット化した通気性のある袋が提案されている。かかる袋によれば、紙屑の静電気が除去され、紙屑が互いに絡み付いたりしないとされる。
【０００４】
また、例えば特許文献２に示すように、イオン発生装置が発生したイオンを空気吹出し器から吹出した空気とともに、落下する帯電細断屑の落下通過域と下方の細断屑収容箱内に向けて照射して、そのクーロン力により細断屑や細断屑袋や細断屑収容箱電荷を中和除電するようにした除電器付き文書細断機が提案されている。
【０００５】
【特許文献１】実開平７−１９２０４号公報
【特許文献２】特開２００３−３８９６９号公報
【発明の開示】
【発明が解決しようとする課題】
【０００６】
しかしながら、特許文献１のように袋に除電効果を持たせたものは、袋内に落下する細断屑には効果があるものの、屑箱の外側に飛び散った細断屑は、なお外側から屑受箱に付着するため、細断屑の飛散を確実に防止することはできなかった。
【０００７】
また、特許文献２のような除電器を備えたものは、その構造が複雑なものとなるとともに、シュレッダーの製造コストが上昇するという問題があった。
【０００８】
そして、細断屑の屑受箱自体に帯電防止性能を付与したものは未だ提案されていないのが現状である。
【課題を解決するための手段】
【０００９】
上述した事情に鑑み、本発明は、シュレッダー内に設置して細断屑を収納する屑受箱において、当該屑受箱が帯電防止性能を有するものとするという手段を採用した。
【００１０】
そして、具体的には、プラスチック材料に界面活性剤や親水性ポリマーなどの帯電防止剤を塗布又は練り込んで帯電防止性能を付与した資材で屑受箱を構成するという手段を採用した。
【００１１】
また、プラスチック板の表面をπ電子共役系導電性ポリマー層で被覆することによって、帯電防止性能を付与した資材で屑受箱を構成するという手段を採用した。
【００１２】
一方、シュレッダーとして、上記各構成のように帯電防止性能を有する屑受箱を備えたシュレッダーとするという手段を採用した。
【発明の効果】
【００１３】
上記構成の屑受箱は、それ自体が帯電防止性能を有するものであるから、細断時に摩擦等によって静電気が帯電した場合であっても、屑箱の導電性によって電荷を漏洩して、細断屑が屑箱自体に付着することがなくなる。そのため、屑受箱の出し入れの際にも、細断屑が周囲に飛散して汚染するということがなくなるものである。
【００１４】
そして、上記性能を有する屑受箱を備えたシュレッダーは、屑受箱に細断屑が付着しないので、周囲を清潔に保つことのできるシュレッダーとすることができたものである。
【発明を実施するための最良の形態】
【００１５】
以下、本発明に係るシュレッダーの帯電防止屑受箱の好ましい実施形態を図面に従って説明する。図１において、１は各種機構を内蔵するシュレッダー本体、２はその天面板、３は下述する屑受箱を出し入れするための前扉である。また、４は天面板２に設けられた紙投入口、５はＣＤ、ＦＤ等の記憶媒体を投入する記憶媒体投入口であり、細断する対象によって投入口を区別している。これは環境保護等の観点から、細断屑を紙と樹脂類のそれぞれに分別回収するためである。６は各種操作を行うためのボタン類が並んだ操作パネルである。
【００１６】
続いて、７は紙用屑受箱、８は記憶媒体用屑受箱で、通常、細断屑の回収の便のためにビニール袋９、９を内装している。これらの屑受箱７、８は、前扉３を開けて、上記紙投入口４、記憶媒体投入口５の下方の対応する位置にセットして、落下する細断屑を収容するようになっている。なお、本シュレッダーでは、投入口の位置を天面板２でＬ字型に配置しているので、屑受箱７、８を横に並べてセットすることができ、そのため、個別に取り出すことができて、細断屑の回収に便利である。
【００１７】
ところで、本発明で重要なことは、上記各屑受箱７、８が帯電防止性能を有する素材で構成されたものであることである。即ち、屑受箱に帯電防止性能を付与したことによって、細断屑に発生した電荷を外に漏洩し、細断屑が屑受箱自体に付着することがなくなり、屑受箱の出し入れ時に、細断屑が周囲に飛散して汚染するということが防止できるのである。
【００１８】
本シュレッダーでは、ポリプロピレン樹脂を素材とした帯電防止性プラスチック段ボール（例えば、商品名：サンプライクリーン）を使用した屑受箱を使用している。この場合、表面固有抵抗値として１０１０〜１０１３Ωとほぼ絶縁機能を保持している。
【００１９】
なお、一般的には、プラスチック材料に帯電防止性能を付与するには、素材に適宜な界面活性剤や親水性ポリマーなどの帯電防止剤を塗布又は練り込むことによって実現する。この界面活性剤の代表例としては、グリセリン脂肪酸エステル、ポリオキシエチレンアルキルエーテル、ポリオキシエチレンアルキルフェニルエーテル、アルキルジェタノールアミン、ヒドロキシアルキルモノエタノールアミン、ポリオキシエチレンアルキルアミン、ポリオキシエチレンアルキルアミン脂肪酸エステル、アルキルジエタノールアマインド、アルキルスルホン酸塩、アルキルベンゼンスルホン酸塩、アルキルホスフェート、テトラアルキルアンモニウム塩、トリアルキルベンジルアンモニウム塩、アルキルベタイン、アルキルイミダゾウリムベタインなどがある。これらは、素材の種類、即ち、オレフィン系樹脂、スチレン系樹脂、アクリル樹脂、エンジニアリングプラスチックなどの種類によってその種類や量を使い分けて用いる。
【００２０】
このほか、帯電防止性能を付与する手段としては、導電性のフィラー、特にカーボンブラックを練り込むことも行われる。
【００２１】
また、プラスチック板の表面をπ電子共役系導電性ポリマー層で被覆することによって、帯電防止性能を付与することも可能である。例えば、特開昭６２−２７５１３７号公報に導電性複合体の製造方法についての記載がある。
【００２２】
但し、これらは帯電防止性能を付与する例であり、屑受箱として帯電防止性能を有するものであれば、その素材を特に限定するものではない。
【図面の簡単な説明】
【００２３】
【図１】シュレッダーに本発明の屑受箱を収納する例を示す斜視図である。
【符号の説明】
【００２４】
１    シュレッダー本体
２    天面板
３    前扉
４    紙投入口
５    記憶媒体投入口
６    操作パネル
７、８    屑受箱
９    ビニール袋
【図１】
2007106584.tif 000003